(57)【特許請求の範囲】
【請求項１】
上部にハンガー取り付け部を設けた背もたれと、前記背もたれの背面側に配置したハンガー装置とを備えた椅子であって、
前記背もたれの上端部に、下方に露出した下面を有する後ろ側部分を左右全長に亙って設けて、この後ろ側部分に前記ハンガー取り付け部を設けており、このため、前記ハンガー取り付け部も下方に露出した下面を有している一方、
前記ハンガー装置は、前記背もたれのハンガー取り付け部に固定されたベースブラケットと、前記ベースブラケットに設けたハンガー体とから成っており、
前記ハンガー体は、前記背もたれにおける前記ハンガー取り付け部の後ろに配置されている一方、
前記ベースブラケットは、前記ハンガー取り付け部の後ろでかつ背もたれの上端よりも下方に位置して前記ハンガー体を高さ調節可能に取り付けているハンガー受け部と、前記ハンガー受け部から手前に入り込むことにより、平面視において前記背もたれのハンガー取り付け部で隠れている前部とを有していて、前記ベースブラケットの前部には、前記ハンガー取り付け部の内部に向いた起立部を設けており、
かつ、前記背もたれは、着座者の身体が当たる表皮材を有していて、前記背もたれに設けた後ろ側部分の背面は、後ろに折り返された表皮材で全体が覆われており、このため、前記ハンガー受け部の手前にも、前記後ろに折り返された表皮材が張られている、
椅子。
【請求項２】
上部にハンガー取り付け部を設けた背もたれと、前記背もたれの背面側に配置したハンガー装置とを備えた椅子であって、
前記背もたれの上部は、後ろに向けて上から下方に折り返された形態の後ろ側部分を有しており、このため、前記背もたれの上部は縦断側面視で略逆Ｕ形の外形になっており、かつ、前記背もたれは、着座者の身体が当たる表皮材を有していて、前記表皮材は、前記背もたれに設けた後ろ側部分の背面を覆ってから更に後ろ側部分の下端面まで至るように折り返されている一方、
前記ハンガー装置は、前記ハンガー取り付け部に固定されたベースブラケットと、前記ベースブラケットに設けたハンガー体とから成っており、
前記ハンガー体は、前記背もたれにおける後ろ側部分の後方に配置されており、
前記ベースブラケットは、前記背もたれにおける後ろ側部分の後方に位置して前記ハンガー体が設けられているハンガー受け部と、前記背もたれにおける後ろ側部分の下方から手前に入り込んだ前部とを有していて、前記ハンガー受け部及びハンガー体は、前記背もたれの後ろ側部分から後ろに離れた状態に配置されており、
前記ベースブラケットの前部が、前記後ろ側部分を有する背もたれの上部に固定されている、
椅子。
【発明の詳細な説明】
【技術分野】
【０００１】
本願発明は、背もたれにハンガー装置を設けた椅子に関するものである。
【背景技術】
【０００２】
椅子の背もたれにハンガー装置を取り付けることは広く行われており、様々な構造が提案され、或いは実施されている。ハンガー装置の取付け構造は背もたれの構造と不離一体の関係にあり、例えば特許文献１〜３には、シェル状の裏カバーを有する背もたれにおいて、裏カバーの背面にハンガー装置をビスで取り付けることが開示されている。
【０００３】
また、特許文献４には、左右２本の背支柱に背もたれを取付けた椅子において、ハンガー装置を背支柱に固定することが開示されている。この特許文献４では、ハンガー装置の下端に背支柱を挟み保持するばね式のクリップ体が設けられている。更に、特許文献５〜７には、背もたれにおける上部の内部にハンガー受け部材を配置し、このハンガー受け部材にハンガーの足部を上から差し込むことが開示されている。
【先行技術文献】
【特許文献】
【０００４】
【特許文献１】特開２００３−３３４１２５号公報
【特許文献２】特開２００５−２４５８６６号公報
【特許文献３】特開２００４−１７４１４５号公報
【特許文献４】実開昭６１−１９６６５５号公報
【特許文献５】特開２００８−０２９５８１号公報
【特許文献６】特許第３８０１７６９号号公報
【特許文献７】特開２００６−０８７５２８号公報
【発明の概要】
【発明が解決しようとする課題】
【０００５】
ハンガー装置はオプション品であり、従って、椅子はハンガー装置を取付けない状態で使用することもある。しかるに、特許文献１〜３のように裏カバーの背面にビス止めする方式では、ビスを紛失するとハンガー装置を取付けできなくなる問題や、取付け・取り外しに際してのビスの回転操作に手間が掛かる問題、或いは、ハンガー装置を取り外すと、ビスの取付け穴が露出して美観を損なうおそれがあるという問題がある。また、高い取付け強度を確保し難い可能性もある。
【０００６】
他方、特許文献４はばね式のクリップ体で背支柱を挟み保持するものであるため、ビス穴が露出することによる美観の悪化は生じないが、背支柱を持たない椅子には適用できないという問題や、使用状態でクリップ体が露出するために、人に違和感を与える可能性が高いという問題などがある。
【０００７】
他方、特許文献５〜７では、ハンガー受け部材は背もたれの内部に隠れているため、ハンガー装置を使用していない状態での美観悪化の問題はないと言える。本願発明はこのような現状に鑑み成されたものであり、従来にない斬新で優れたハンガー取付け構造を提供せんとするものである。
【課題を解決するための手段】
【０００８】
請求項１の発明は、
上部にハンガー取り付け部を設けた背もたれと、前記背もたれの背面側に配置したハンガー装置とを備えた椅子であって、
前記背もたれの上端部に、下方に露出した下面を有する後ろ側部分を左右全長に亙って設けて、この後ろ側部分に前記ハンガー取り付け部を設けており、このため、前記ハンガー取り付け部も下方に露出した下面を有している一方、
前記ハンガー装置は、前記背もたれのハンガー取り付け部に固定されたベースブラケットと、前記ベースブラケットに設けたハンガー体とから成っており、
前記ハンガー体は、前記背もたれにおける前記ハンガー取り付け部の後ろに配置されている一方、
前記ベースブラケットは、前記ハンガー取り付け部の後ろでかつ背もたれの上端よりも下方に位置して前記ハンガー体を高さ調節可能に取り付けているハンガー受け部と、前記ハンガー受け部から手前に入り込むことにより、平面視において前記背もたれのハンガー取り付け部で隠れている前部とを有していて、前記ベースブラケットの前部には、前記ハンガー取り付け部の内部に向いた起立部を設けており、
かつ、前記背もたれは、着座者の身体が当たる表皮材を有していて、前記背もたれに設けた後ろ側部分の背面は、後ろに折り返された表皮材で全体が覆われており、このため、前記ハンガー受け部の手前にも、前記後ろに折り返された表皮材が張られている。
【０００９】
請求項２の発明は、
上部にハンガー取り付け部を設けた背もたれと、前記背もたれの背面側に配置したハンガー装置とを備えた椅子であって、
前記背もたれの上部は、後ろに向けて上から下方に折り返された形態の後ろ側部分を有しており、このため、前記背もたれの上部は縦断側面視で略逆Ｕ形の外形になっており、かつ、前記背もたれは、着座者の身体が当たる表皮材を有していて、前記表皮材は、前記背もたれに設けた後ろ側部分の背面を覆ってから更に後ろ側部分の下端面まで至るように折り返されている一方、
前記ハンガー装置は、前記ハンガー取り付け部に固定されたベースブラケットと、前記ベースブラケットに設けたハンガー体とから成っており、
前記ハンガー体は、前記背もたれにおける後ろ側部分の後方に配置されており、
前記ベースブラケットは、前記背もたれにおける後ろ側部分の後方に位置して前記ハンガー体が設けられているハンガー受け部と、前記背もたれにおける後ろ側部分の下方から手前に入り込んだ前部とを有していて、前記ハンガー受け部及びハンガー体は、前記背もたれの後ろ側部分から後ろに離れた状態に配置されており、
前記ベースブラケットの前部が、前記後ろ側部分を有する背もたれの上部に固定されている。
【００１０】
【発明の効果】
【００１１】
本願各発明では、ベースブラケットのハンガー受け部は背もたれの後ろに露出しているため、上面が表皮材で覆われた背もたれにも適用できる。また、ベースブラケットのうち外側から視認できない部分は、外観を考慮することなく専ら強度を考慮した設計とすることができるため、ベースブラケットを背もたれの内部にしっかりと保持することが可能になり、このため、背もたれの背面に固定した場合に比べて取付け強度を高めることも可能になる。
【００１２】
ベースブラケットの取り付け部を背もたれのとハンガー取り付け部で隠すと、ハンガー装置を取り外した後にベースブラケットの取付け部が露出することはなく、このためハンガー装置を使用しないことに起因して外観が悪化することはない。また、ハンガー装置の使用状態でベースブラケットはハンガー受け部が露出しているだけであるため、露出部分をできるだけ少なくしてスッキリさせることができる利点もある。
【００１３】
実施形態のように、ハンガー装置のベースブラケットを、背板のオーバーハング部とバックサポートとで挟むことで離脱不能に保持すると、ビス等のファスナーを使用することなく強固に固定できる。従って、ビスのようなファスナの紛失の問題を防止可能である。また、ビスを使用しない場合は、ビスの回転操作の手間も軽減できる。請求項１では、ハンガー体を高さ調節できるため、融通性に優れている。
【図面の簡単な説明】
【００１４】
【図１】椅子の外観図であり、（Ａ）はハンガー装置を取り付けた状態での側面図、（Ｂ）はハンガー装置を省略した状態で後ろから見た斜視図、（Ｃ）はハンガー装置を取付けた状態での部分背面図である。
【図２】（Ａ）は背もたれの一部省略斜視図、（Ｂ）は背もたれを後ろから見た一部省略斜視図、（Ｃ）は背もたれの一部省略分離側面図、（Ｄ）は一部省略背面図である。
【図３】背もたれの分離斜視図である。
【図４】（Ａ）（Ｂ）とも背もたれの分離斜視図である。
【図５】メインメンバーを裏返してバックサポートと並べた正面図である。
【図６】（Ａ）はメインメンバーとバックサポートとの分離斜視図、（Ｂ）はバックサポートの下部の部分斜視図、（Ｃ）はメインメンバーの下部の部分斜視図である。
【図７】背もたれの上部の縦断側面図である。
【図８】（Ａ）は背板の分離斜視図、（Ｂ）はバックサポートを表示した状態での背板の分離斜視図である。
【図９】（Ａ）は要部の分離背面図、（Ｂ）は要部の分離側面図である。
【図１０】（Ａ）は要部の斜視図、（Ｂ）は要部の分離斜視図である。
【図１１】要部の後方からの分離斜視図である。
【図１２】（Ａ）はハンガー装置を取り付けた状態での後方からの一部省略斜視図、（Ｂ）はハンガー装置の分離斜視図である。
【図１３】（Ａ）はハンガー装置の分離斜視図、（Ｂ）（Ｃ）（Ｄ）はハンガー装置の構成部材の斜視図である。
【図１４】ハンガー装置を取り付けた状態での図７と同じ位置での縦断側面図である。
【発明を実施するための形態】
【００１５】
次に、本願発明の実施形態を図面に基づいて説明する。本実施形態は事務用に多用さ  れている回転式ロッキング椅子に適用している。本願では方向を特定するため「前後」  「左右」といった文言を使用するが、これは普通の姿勢で着座した人の向きを基準にし  ている。正面視は着座した人と対向した方向になる。
【００１６】
(1).椅子の概要
まず、主として図１〜図３を参照して椅子の概要を説明する。図１に示すように、椅子は、大きな要素として脚１と座２と背もたれ３とを備えている。脚１は放射方向に延びる枝足を有しているが図示は省略しており、ガスシリンダよりなる脚支柱４のみを表示している。脚支柱４の上端にはベース５が固定されており、ベース５の上方に座２が配置されている。
【００１７】
図２（Ａ）に示すように、背もたれ３は、着座者の体圧がかかるシェル状の背板（背インナーシェル）６と、背板７６が取付けられたシェル状のバックサポート（背アウターシェル）７とを有しており、背板６の前面に背クッション８が張られている。背クッション８は、織地や編地等から成る表皮材９で前から覆われている。バックサポート７の背面にも、クロス等より成るバック張地１０が張られている。
【００１８】
背板６は、バックサポート７の手前に配置されたメインメンバー１１と、メインメンバー１１の上に重ね配置されたトップメンバー１２との２つの部材（パーツ）で構成されている。両メンバー１１，１２は成形品であり、トップメンバー１２は、前向きに開口した多数の凹所と後ろ向きに開口した多数の凹所を有する。メインメンバー１１の前面とトップメンバー１２の前面とは、滑らかに連続している。従って、着座した人は違和感なく凭れる掛かることができる。
【００１９】
背板６におけるメインメンバー１０の上端とバックサポート７の上端とは略同じ高さになっており、背板６のトップメンバー１１はバックサポート７の上面に重なっている。そして、背板６を構成するトップメンバー１１には、バックサポート７の上部後方に折り返されたようなオーバーハング部１３（後ろ側部分）を有しており、従って、トップメンバー１１は、縦断側面視でおおよそ下向き開口Ｕ字に近い側面視形態になっていると共に、左右両端にはサイド凹所１４が開口している。オーバーハング部（後ろ側部分）１３は、左右全長にわたって形成されている。
【００２０】
図２に明示するように、バックサポート７の下端には、前向きに延びる左右一対のアーム７ａが一体に形成されており、左右のアーム７ａはベース５に連結されている。バックサポート７の下部の背面には、ロアカバー１５が装着されている。詳細な説明は省略するが、背もたれ３が後傾動すると、座２は上昇しつつ後退動する。背もたれ３は、ハンガー装置１６を備えている。ハンガー装置１６は、バックサポート７とトップメンバー１２とで離脱不能に保持されている。次に、ハンガー装置１６の説明に先立って、背もたれ３の構造を説明する。
【００２１】
(2).背もたれの基本構造
例えば図２から理解できるように、バックサポート１１と背板６とは、上端の横幅より下端の横幅が小さくなっており、従って、両者とも正面視で逆台形の形状を成している。また、背板６は平面視では前向き凹状に湾曲しており、また、側面視では前向き凸の形態を成していてランバーサポート部を有している。
【００２２】
例えば図２から理解できるように、メインメンバー１１の左右側縁及び下端と、トップメンバー１２の左右側縁及び後端とには外向きの突条１８が形成されており、突条１８で囲われた部位に背クッション８を配置している。従って、背クッション８と表皮材９とは、トップメンバー１２におけるオーバーハング部１３の背面下端まで延びている。表皮材９の周縁にはテープ状の縁部材１９（図７参照）が固定されており、縁部材１９を、メインメンバー１１及びトップメンバー１２の裏部に設けたキャッチ突起２０に嵌合させている。縁部材１９は、その弾性に抗してキャッチ突起２０に嵌脱させることができる。従って、ユーザーであっても表皮材９を簡単に交換できる。
【００２３】
図３から理解できるように、バックサポート７のうちアーム７ａを除いた部分は、背板６のメインメンバー１１と略相似形になっており、図４（Ｂ），図５，図６に示すように、バックサポート７の前面には、アーム７ａに連続する左右一対ずつの内側縦リブ２１及び外側縦リブ２２が前向きに突設されており、内側縦リブ２１は、左右横長のロアリブ２３に連続している。左右の側縦リブ２１，２２の上端は、上部水平リブ２４に連続している。内外縦リブ２１，２２は、補強機能を有すると共に、背板６の取付け機能も果たしている（この点は後述する）。
【００２４】
背板６は、バックサポート７に簡単に着脱できる。この点を、主として図５，６に基づいて説明する。背板６を構成するメインメンバー１１は、バックサポート７に左右ずれ不能に保持する必要がある。そこで、メインメンバー１１の左右両側部と下部とに略角形の位置決め突起２６，２７を後ろ向きに突設して、上部位置決め突起２６は、バックサポート７に設けた左右一対の上部挟持体２８の間に嵌め入れ、下部位置決め突起２７は、バックサポート７における内外縦リブ２１，２２の間に嵌め入れている。
【００２５】
また、メインメンバー１１を前向き移動不能に保持する手段として、メインメンバー１１のうち上部位置決め突起２６の外側に上部係合体２９を後ろ向きに突設し、この上部係合体２９の先端部に、平面視で傾斜した上部係合爪２９ａを一体に設けている一方、バックサポート７の前面には、上部係合爪２８が引っ掛かる平面視Ｌ形の上部係合受け部３０を形成している。
【００２６】
上部係合爪２９ａは、手前に行くほど左右外側にずれるように平面視で傾斜したヒレ状の形態であり、このため、撓み変形し得る（弾性に抗して窄まり変形し得る。）。上部係合爪２９ａは、下降動することで上部係合体３０に係合することもできるし、手前から押して弾性変形させることによっても、上部係合体３０に係合させることができる。
【００２７】
メインメンバー１１の背面のうち下部位置決め突起２７より下方の下端部には、下部係合体３２を後ろ向きに突設しており、この下部係合体３２に、平面視で傾斜した左右一対の下部係合爪３２ａを一体に設けている。左右の下部係合爪３２ａはヒレ状（舌状）の形態であり、両者は先端に行くほど互いの間隔が広がるように傾斜している。すなわち、下部係合体３２は矢印形の形態になっている。下部係合爪３２ａもその付け根を中心に回動するように弾性変形し得る。
【００２８】
メインメンバー１１の下部係合体３２は、バックサポート７における内外縦リブ２１，２２の間の溝に入り込む。そして、内外の縦リブ２１，２２に、下部係合爪３２ａが後ろ側から当接する左右一対の下部係合受け部３３を相対向するように形成している。下部係合爪３２ａも、上からのずらし移動によって下係合受け部３３に係合させることが可能であると共に、図６（Ｂ）に矢印Ａで示すように、前方からの押し込み動によって下部係合受け部３３に係合させることも可能である。
【００２９】
背板６のメインメンバー１１は、その上端においてもバックサポート７に対して左右動不能及び下向き移動不能に保持されている。すなわち、メインメンバー１１の上端のうち左右両端寄り部位に、後ろ向きの上端突起３４と、上端突起３４に連続した上下開口の上枠部３５とを後ろ向きに突設している一方、バックサポート７には、上端突起３４が嵌まる上端凹部３６と、上枠部３５が上から嵌まる内枠部３７とが形成されている。メインメンバー１１の上枠部３５は前後のバー３５ａ，３５ｂを有している一方、バックサポート７の内枠部３７には、前後バー３５ａ，３５ｂの間に位置する上向き突起３７ａを設けている。
【００３０】
メインメンバー１１のうち上枠部３５の下方の部位には、トップメンバー１２をメインメンバー１１に離脱不能に保持するためのアッパー係合爪３８を設けている。アッパー係合爪３８は、その下端を中心にして前後回動するように撓み変形する。かつ、アッパー係合爪３８がバックサポート７の内枠部３７に下方から当接することにより、背板６は上向き離脱不能に保持されている。
【００３１】
バックサポート７のうち内枠部３７の下方の部位には、アッパー係合爪３８を操作するレバー３９（図８（Ａ）参照）が配置される前後開口の下枠部４０を設けている。下枠部４０は、レバー３９を回動自在に装着する支軸４１（図６（Ａ）参照）を有している。詳細な説明は省略するが、背もたれ３の裏側からトップメンバー１２のオーバーハング部１３の内部に指を下方に差し入れ、レバー３９の下端に指先を当てて後ろに引くと、アッパー係合爪３８は、その上端が前方に移動して内枠部３７から離脱するように回動し、これにより、トップメンバー１２をメインメンバー１１から取り外すことができる。
【００３２】
また、トップメンバー１２をメインメンバー１１に重ね配置すると、アッパー係合爪３８は、その上端が手前に移動するように、その弾性に抗していったん撓み変形してから元の姿勢に戻り変形し、すると、アッパー係合爪３８の上端がバックサポート７における内枠部３７の下方に位置する。その結果、背板６は上向き離脱不能に保持される。
【００３３】
(3).連結構造
次に、主として図７及び図８に基づいて、メインメンバー１１とトップメンバー１２との連結構造、及び、トップメンバー１２とバックサポート７との関連を説明する。図８（Ｂ）に示すように、メインメンバー１１の上端とバックサポート７の上端とには、前後に重なると共に上面が同一面を成す後ろ向き突出部４２，４３を設けており、メインメンバー１１の後ろ向き突出部に位置決め穴４４が上下に開口している。
【００３４】
他方、トップメンバー１２は、平面視でメインメンバー１１及びバックサポート７の後ろ向き突出部４２，４３に重なる中間段部４５を有しており、中間段部４５に、メインメンバー１１の位置決め穴４４に嵌合する位置決め突起４６を設けている。また、中間段部４５には後ろ向き突出部４２，４３に上から当接するリブ４７も設けている。トップメンバー１２のオーバーハング部１３は、中間段部４５より下方に突出した下向き張り出し部１３ａを有している。下向き張り出し部１３ａは、オーバーハング部１３の左右全長にわたって延びており、下向き張り出し部１３ａの手前には、下方と左右側方とに開口した上部空間が空いている。
【００３５】
図８（Ａ）や図４（Ａ）に示すように、トップメンバー１２のうち左右の位置決め突起４６の内側には、中間段部４５と下向き張り出し部１３ａとに繋がったガイドリブ４８を設けている。ガイドリブ４８の前面は側面視で鉛直線に対して前傾するように傾斜しており、背もたれ３を組み立てた状態では、ガイドリブ４８は、バックサポート７における内枠部３７の後ろに位置している。
【００３６】
そして、背もたれ３の組み立てに際しては、図２（Ｃ）や図３に示すように、メインメンバー１１にトップメンバー１２を装着して構成された背板６を、バックサポート７に上から重ねて取付けるが、その取付けに際して、トップメンバー１２のオーバーハング部１３をバックサポート７に重ねるように下降動させると、ガイドリブ４８がバックサポート７における内枠部３７の後面に当たることで、背板６はバックサポート７に重なるように後ろ向きに移動していき、背板６を下降動させ切ると、位置決め突起４６が位置決め穴４４に嵌合すると共に、上下係合体２９，３２が係合受け部３０，３２に嵌合する。
【００３７】
上下係合体２９，３２が係合受け部３０，３２に嵌合していない場合は、メインメンバー１１を後ろに押しつけると、上下係合体２９，３２は、係合爪２９ａ，３２ａが弾性変形することにより、係合受け部３０，３２に係合する。例えば図８（Ａ）に示すように、トップメンバー１２の左右両側部には、突条１８に連続した下向き突起４９が形成されている一方、メインメンバー１１における突条１８の上端部は上向き開口の筒部５０と成しており、下向き突起４９を筒部５０に嵌合させている。
【００３８】
例えば図３に明示するように、バックサポート７の上端部のうちその左右両端には、トップメンバー１２のサイド凹所１４に嵌る耳部５１を設けている。トップメンバー１２は、高さが低いタイプと高いタイプとの２種類が用意されており、高さが高いトップメンバー１２を使用する場合は、図３に示すように、耳部５１に目隠し用のプラグ５２を装着する。なお、トップメンバー１２として３種類以上の高さのものを用意しておいて、任意に選択して使用することも可能である。
【００３９】
(4).ハンガー装置
次に、主として図９以下の図面を参照してハンガー装置１６を説明する（なお、図１０に示すバックサポート７は、図４〜図６に示すバックサポート７とは前から見た上部の形状が少し相違するが、両者は本質的には同じである。）。例えば図９（Ｂ）に示すように、ハンガー装置１６は、バックサポート７とトップメンバー１２との間に挟み保持されるベースブラケット５４と、ベースブラケット５４に装着したホルダー５５と、ホルダー５５に高さ調節可能に取付けたハンガー体５６とを有している。以下、詳述する。
【００４０】
例えば図１１に示すように、ベースブラケット５４は、バックサポート７の後ろ向き突出部４３に上から重なる上板５４ａと、バックサポート７の後ろ向き突出部４３の後ろに位置する鉛直部５４ｂと、鉛直部５４ｂの下端から後ろ向きに突出した下板５４ｃと、下板５４ｃの後端から上向きに突出してハンガー受け部５４ｄとを有しており、全体的には、側面視上向き開口のコの字形（樋形）になっている。ハンガー受け部５４ｄ及びハンガー体１６は、オーバーハング部１３の後ろに離れた状態で配置されている。上板５４ａと鉛直部５４ｂと下板５４ｃとにより、ベースブラケット５４の前部が構成されており、この前部は、トップメンバー１２の上部空間を横切る姿勢になっている。鉛直部５４ｂは、下板５４ｃから見ると起立部になっている。
【００４１】
ベースブラケット５４の上板５４ａに、左右横長のロッド５７を溶接によって固着している一方、バックサポート７の後ろ向き突出部４３には、ロッド５７が前から嵌まる側面視前向きの鉤片５８を一対ずつ上向きに突設している。また、ベースブラケット５４の垂直部５４ｂの前面には、バックサポート７における後ろ向き突出部４３の背面に重なる左右横長の羽根板５９を溶接している。ロッド５７は平面視で前向き凹状（或いは後ろ向き凸形）に屈曲しており、このため安定性に優れている。ベースブラケット５４の上板５４ａの前端には、ロッド５７をしっかり位置保持するため上向きのリップを曲げ形成している。
【００４２】
バックサポート７の後ろ向き突出部４３には、羽根板５９の左右両端部が左右動不能及び上下動不能に嵌まる枠部（凹所）６０を設けている。なお、ベースブラケット５４とロッド５７と羽根板５９とをまとめてベース部と呼ぶことも可能である。バックサポート７へのベースブラケット５４の取付けは、背板６を取り外した状態で行われる。すなわち、ハンガー受け部５７ｄが上になるように側面視で傾けた姿勢にして、まずロッド５７を鉤片５８に手前から嵌め入れ、次いで、所定の姿勢に戻す、というごく簡単な手順でバックサポート７に取り付けられる。
【００４３】
ベースブラケット５４は、前後左右及び上下にずれ不能に保持される。バックサポート７の後ろ向き突出部４３には、ベースブラケット５４の上板５４ａを左右ずれ不能に位置決めするリブ６１が上向きに突設されている。また、図１４に示すように、背板６を構成するトップメンバー１２の内部には、ベースブラケット５４の垂直部５４ｂに後ろから当接又は密接する左右一対の押さえリブ６２を設けている（図４（Ａ）や図８も参照）。このため、ハンガー装置１６は前倒れ不能に保持されている。
【００４４】
本実施形態のように、ベースブラケット５４に左右横長のロッド５７と羽根板５９とを固着すると、安定性を向上させることができる利点がある。また、羽根板５９の左右両端とバックサポート７の枠部６０には、互いに連通する丸穴６３ａ，６３ｂを設けている。より高い締結強度を得たい場合は、この丸穴６３ａ，６３ｂを利用してビスで締結することも可能である（ビスは手前から羽根板５９にねじ込んでもよいし、枠部６０の手前のポケット部に装着したナットに後ろからねじ込んでもよい。）。
【００４５】
例えば図１３に示すように、ホルダー５５は、ベースブラケット５４のハンガー受け部５４ｄに取付けられたホルダー本体６４と、このホルダー本体６４に手前から装着したストッパー６５とで構成されている。両者は樹脂成形品である。図１３（Ｃ）や図１４に示すように、ホルダー本体６４の前部には、ベースブラケット５４のハンガー受け部５４ｄに手前から重なる上下の前枠部６６と、ベースブラケット５４のハンガー受け部５４ｄに後ろから重なる後ろ枠部６７とを設けており、かつ、ホルダー本体部６４はベースブラケット５４のハンガー受け部５４ｄに上から当接する天板６８を有する。
【００４６】
また、図１４に示すように、ベースブラケット５４におけるハンガー受け部５４ｄの下部には正面視角形の係合穴７０を設けている一方、ホルダー本体６４には、係合穴７０に下方から突っ張り嵌合する係合爪７１を設けており、これにより、ホルダー５５を上向き抜け不能に保持している。係合爪７１は、上に行くほど前にずれる状態に傾斜しており、このため、ホルダー本体６４をハンガー受け部５４ｄに上から嵌め込むと、係合爪７１は、いったん後ろに倒れるように変形してから戻り変形して係合穴７０に嵌合する。
【００４７】
図１４から理解できるように、ホルダー本体６４の上下前枠部６６と後ろ枠部６７及び係合爪７１は上下方向にずれており、前後方向から見て重複していない。換言すると、上下前枠部６６の間と下部前枠部６６の下方とは開放されている。これは、図１４の状態で左右方向に相対動する金型を使用してホルダー本体６４を製造するにおいて、型抜きを容易ならしめるためである。
【００４８】
例えば図１４に示すように、ホルダー５５を構成するホルダー本体６４の後面部には、平面視で左右外側に突出した鉤部７２を多段に設けている一方、ハンガー体５６は足部５６ａを有する正面視Ｔ形に形成されており、足部５６ａに、ホルダー本体６４の鉤部７２に嵌合する蟻溝７３を設けている。このため、ハンガー体５６は、前後ずれ不能で上下動のみにする状態でホルダー５５に取付けられている。左右の蟻溝７３は連続しており、このため、足部５６ａには前向き開口の凹溝７４が開口している。
【００４９】
例えば図１３（Ａ）（Ｂ）に示すように、ストッパー６５の左右両側部には前向きに突出した係合爪７５を突設している一方、ホルダー本体６４には、係合爪７５が嵌合する係合穴７６を設けている。従って、ストッパー６５は押し付けるだけでホルダー本体６４に取付けできる。また、ホルダー本体６４とストッパー６５との間には、弾性体の一例としてゴム７７（図１４も参照）を介在させている。このため、ストッパー６５は後ろきに付勢されている。更に、ストッパー６５には、ハンガー体５６の蟻溝７３に嵌まるフラップ７８を左右外向きに突設している。
【００５０】
図１３（Ａ）や図１４のとおり、ハンガー体５６における足部５６ａの凹溝７４には、ハンガー体５６の上下高さを規制する上昇位置規制突起７９と、ハンガー体５６を上限高さ位置に保持する抜け止め突起８０とを上下に隔てて設けている。他方、ストッパー６５の後面には、上昇位置規制突起７９に下から当接し得る上突起８１と、抜け止め突起７６に下方から当接し得る下突起８２とを設けている。
【００５１】
ストッパー６５の上昇位置規制突起７９とハンガー体５６の上突起８１とは、側面視で上下両面とも傾斜した山形になっている。他方、抜け止め突起８０は、下面は傾斜しているが上面は略水平状になっており、また、ストッパー６５の下突起８２は、上面は傾斜しているが下面は略水平状になっている。
【００５２】
図１４ではハンガー体５６を下降させた状態を描いており、この状態でハンガー体５６は、凹溝７４の上端がホルダー本体５４の上端に当たることにより、下降動不能に保持されている。他方、ハンガー体５６を上向きに引き上げると、ハンガー体５６の上突起８１は、ストッパー６５をゴム７７の弾性に抗して前向きに押し遣ることにより、ストッパー６５の抜け止め突起７６と上昇位置規制突起７９とを乗り越えていく。そして、上突起８１が上昇位置規制突起７９を乗り越え切ると、ハンガー体５６の下突起８２がストッパー６５の抜け止め突起７６に下方から当接し、これにより、ハンガー体５６は上昇位置でずり下がり不能に保持される。
【００５３】
上昇位置のハンガー体５６は、ある程度の力を掛けて下向きに押すと、図１４の状態に下降させることができる。また、ストッパー６５は、その下端に指先を当てたりマイナスドライバーを当てたりすることにより、手前に回動させることができる。これにより、ハンガー体５６を取り外すことができる。また、ホルダー５５は、係合爪７１を下方からマイナスドライバのような薄いもので後ろに倒し回動させることにより、ベースブラケット５４から取り外すことができる。
【００５４】
(5).まとめ・その他
以上の説明のとおり、ハンガー装置１６は、背板６を取り外した状態でバックサポート７に上からセットすることができ、そして、背板６をバックサポート７に取り付けるとハンガー装置１６は離脱不能に保持される。従って、ビスを使用しなくても、ハンガー装置１６を背もたれ３に強固に取付けできる（ビスを使用すると、より一層強固に固定できる。）。また、左右方向に長いロッド５７や羽根板５９の存在によって安定性を向上できるが、ロッド５７や羽根板５９は背もたれ３の内部に隠れていて外部からは視認できないため、美観を損なうことなく高い安定性（取付け強度）を確保することができる。
【００５５】
本実施形態では、ベースブラケット５４がバックサポート７と背板６とで挟まれているが、ベースブラケット５４を、バックサポート７における後ろ向き突出部４３の内部に固定することも可能である（すなわち、ベースブラケット５４は必ずしも背板６で挟む必要はない。）。
【００５６】
本願発明は、上記の実施形態の他にも様々に具体化できる。例えば、適用対象は回転椅子に限定されず、固定式椅子などの各種の椅子に適用できる。また、背もたれがロッキングしない椅子にも適用できることはいうでもない。ハンガー装置は何らかの物を掛ける機能があれば足りるのであり、従って、衣類の他にも、タオルやショール、マフラー、帽子、傘など様々な物品を掛けることができる。高さ調節式にする場合、３段階以上の高さに段階的に調節することや、無段階に高さ調節することも可能である。
【００５７】
更に、本願発明は、背板が一体構造になっている背もたれにも適用できる。また、バックサポートを備えていない背もたれにも適用できる。後ろ向き突出部をバックサポートに設けることも可能である。更に、背もたれにオーバーハング部を設ける場合、必ずしも下向き張り出し部を設ける必要はないのであり、下向き張り出し部を設けない場合は、ハンガー装置のベースブラケットをオーバーハング部の下面に重ねて後ろ側に露出させたらよい。
【産業上の利用可能性】
【００５８】
本願発明は椅子に適用して有用性を発揮する。従って、産業上利用できる。
【符号の説明】
【００５９】
３  背もたれ
６  背板
７  バックサポート
１１  背板を構成するメインメンバー
１２  背板を構成するトップメンバー
１３  トップメンバーのオーバーハング部（後ろ側部分）
１６  ハンガー装置
４３  バックサポートの後ろ向き突出部
５４  ベースブラケット
５４ａ  上板
５４ｂ  鉛直部（起立部）
５４ｃ  下板
５４ｄ  ハンガー受け部
５５  ホルダー
５６  ハンガー体
５６ａ  足部
５７  ロッド
５８  鉤部
５９  背板
６４  ホルダー本体
６５  ストッパー
７２  鉤部
７３  蟻溝
【図１】
0005937657.tif 000002
【図２】
0005937657.tif 000003
【図３】
0005937657.tif 000004
【図４】
0005937657.tif 000005
【図５】
0005937657.tif 000006
【図６】
0005937657.tif 000007
【図７】
0005937657.tif 000008
【図８】
0005937657.tif 000009
【図９】
0005937657.tif 000010
【図１０】
0005937657.tif 000011
【図１１】
0005937657.tif 000012
【図１２】
0005937657.tif 000013
【図１３】
0005937657.tif 000014
【図１４】
0005937657.tif 000015